(57)【要約】【課題】簡素な構成によって、カードがコネクタから飛び出すこと（急速な排出）を防止でき、しかも、カードがコネクタに対して傾斜しないカード用コネクタを提供する。【解決手段】カード用コネクタ１は、ハウジング２と、ハウジングに保持される第１検出端子４及び第２検出端子５と、ハウジングに保持され、カード１１により挿入され、かつ、カードを排出するスライダ６とを有する。カードの側端辺が第２検出端子のカード接触部５ｂに当接することによって、端子接触部５ｃが第１検出端子のアーム部４ｃを押して第１検出端子のカード接触部４ｂをカードの側端辺から離隔する。【選択図】  図２
2008204793.tif 000002
【特許請求の範囲】
【請求項１】
ハウジングと、前記ハウジングに保持される第１検出端子と、前記ハウジングに保持される第２検出端子と、前記ハウジングに保持され、カードにより挿入され、かつ、前記カードを排出するスライダとを有するカード用コネクタにおいて、
前記第１検出端子は、固定端子部と、前記カードの側端辺に対して当接離隔することができるカード接触部と、前記固定端子部と前記カード接触部を連結するアーム部とから構成され、
前記第２検出端子は、固定端子部と、前記カードの側端辺に対して当接離隔することができるカード接触部と、当該カード接触部の先端に形成され、かつ、前記第１検出端子のアーム部に対して当接離隔することができる端子接触部と、当該固定端子部と当該カード接触部を連結するアーム部とから構成され、
前記カードの側端辺が前記第２検出端子のカード接触部に当接することによって、前記端子接触部が前記第１検出端子のアーム部を押して前記第１検出端子のカード接触部を前記カードの側端辺から離隔することを特徴とするカード用コネクタ。
【請求項２】
前記第１検出端子のカード接触部と前記第２検出端子のカード接触部は円弧状に形成されていることを特徴とする請求項１記載のカード用コネクタ。
【請求項３】
ハウジングと、前記ハウジングに保持される第１検出端子と、前記ハウジングに保持される第２検出端子と、前記ハウジングに保持され、カードにより挿入され、かつ、前記カードを排出するスライダと、前記ハウジングに保持され、かつ、前記カードにより前記ハウジングの幅方向にスライドすることができる検出端子用スライダとを有するカード用コネクタにおいて、
前記第１検出端子は、固定端子部と、前記カードの側端辺に対して当接離隔することができるカード接触部と、前記固定端子部と前記カード接触部を連結するアーム部とから構成され、
前記第２検出端子は、固定端子部と、前記カードの前端辺に対して当接離隔することができるカード接触部と、当該カード接触部の先端に形成され、かつ、前記第１検出端子のアーム部に対して当接離隔することができる端子接触部と、当該固定端子部と当該カード接触部を連結するアーム部とから構成され、
前記カードの側端辺が前記検出端子用スライダに当接することによって、前記検出端子用スライダが前記第１検出端子のアーム部を押して前記第１検出端子のカード接触部を前記カードの側端辺から離隔し、
前記カードの前端辺が前記第２検出端子のカード接触部に当接することによって、前記第２検出端子の端子接触部が前記第１検出端子のアーム部に当接することを特徴とするカード用コネクタ。
【請求項４】
前記検出端子用スライダには、斜面部が形成され、前記カードの側端辺が前記斜面部に当接することを特徴とする請求項３記載のカード用コネクタ。
【請求項５】
前記第１検出端子のカード接触部は円弧状に形成されていることを特徴とする請求項３記載のカード用コネクタ。
【請求項６】
前記第２検出端子の端子接触部が前記第１検出端子のアーム部に当接したことを検出して、前記カードが挿入されたことを認識できる請求項１又は３記載のカード用コネクタ。
【発明の詳細な説明】
【技術分野】
【０００１】
本発明は、プッシュ−プッシュ・タイプ等のカード用コネクタにおいて、カードがコネクタから排出される際の飛び出し（急速な排出）を防止する構造に関する。
【背景技術】
【０００２】
第１の従来のカード用コネクタについて図９と図１０を参照して説明する。
【０００３】
図９は、カード用コネクタ２１（以下「コネクタ２１」ということがある。）の上面図であり、図１０は、シェル２９が除去されたコネクタ２１の上面図であり、いずれもカード３１がコネクタ２１に挿入される途中の状態を示す。
【０００４】
コネクタ２１のインシュレータ２２には、多数の信号端子２３と、カード３１を排出するスライダ２６と、スライダ２６を付勢する圧縮コイルスプリング２７と、スライダ２６を係止するフックピン２８が、保持されている。
【０００５】
コネクタ２１の天面に配設されているシェル２９の両側には、一対のカード押さえ切片２９ａが設けられている。各カード押さえ切片２９ａは、コネクタ２１のカード挿入間口３０に近い側に設置されている。
【０００６】
第１の従来のコネクタでは、カード３１がコネクタ２１から排出される際の飛び出しを防止するために、一対のカード押さえ切片２９ａがカード３１の上面に当接し、ブレーキのように摩擦抵抗を発生させることによって、カード３１の飛び出しを抑制する。したがって、カード３１の上面と各カード押さえ切片２９ａとは、カードの挿入のときも排出のときも当接するので、摩耗し易い。
【０００７】
カード３１の挿入排出回数が増加すると、前記摩耗に基因して各カード押さえ切片２９ａがカード３１の上面に接触する力が低下するため、カード３１がコネクタ２１から飛び出すという欠点が生じる。更に、各カード押さえ切片２９ａがカード３１の上面に接触する力は終始一定であるから、カード３１がコネクタ２１の奥深くまで挿入された状態でも無用にスライドしないように各カード押さえ切片２９ａの接触力を強く設定すると、圧縮コイルスプリング２７がある程度拡張した状態では、圧縮コイルスプリング２７の拡張力が弱くなるので、カード３１が途中で排出されなくなるという欠点が生じる。逆に、各カード押さえ切片２９ａの接触力を弱く設定すると、カード３１の排出初期のスピードを低下することができないので、カード３１がコネクタ２１から飛び出すという欠点が生じる。
【０００８】
また、カード３１のコネクタ２１からの飛び出しを防止する他の手段として、スライダ２６に粘性グリースを塗布する方法が存在する。しかし、粘性グリースは、半田付けのリフロー熱によって変質したり、流動したりするので、カード２１の飛び出し防止の機能を長期間維持し難い。更に、粘性グリースは、絶縁性のため、電気接触部に付着すると、導通不良を起こすという欠点が生じる。
【０００９】
更に、プッシュ−プッシュ・タイプのカード用コネクタ２１は小型化を図るため、スライダ２６はコネクタ２１の片側に１個のみ配設されるので、カード３１の片側のみがスライダ２６と当接する。したがって、カード３１は、排出される際、コネクタ２１に対して図１０に示されるように傾斜してこじられた状態になるから、排出されないという欠点が生じる。
【００１０】
第１の従来のカード用コネクタに類似するコネクタは、本出願前に頒布された刊行物に記載されている（例えば、特許文献１，２参照。）。
【００１１】
次に、第２の従来のカード用コネクタについて本出願前に頒布された刊行物を引用して説明する（例えば、特許文献３参照。）。
【００１２】
図１１はカード用コネクタ４１（カバーは除去されている。）（以下「コネクタ４１」ということがある。）にカード５１が挿入されている状態の正面図、図１２はコネクタ４１からカード５１が排出される途中の状態の正面図、図１３はコネクタ４１からカード５１が排出された状態の正面図を、それぞれ示す。
【００１３】
コネクタ４１のハウジング４２内の奥部４２ａの中央付近には、多数のコンタクト４３が１列に保持されている。ハウジング４２内の左側には、イジェクトバー（すなわち、スライダ）４４が上下方向にスライド可能に保持されている。イジェクトバー４４は、圧縮コイルスプリング４５によってハウジング４２の入口部４２ｂ側へ常時付勢されている。イジェクトバー４４に形成されたハートカムの溝４４ａには、カムフォロア４６の一端４６ａが係合し、カムフォロア４６の他端４６ｂはハウジング４２に回転可能に支持されている。また、イジェクトバー４４に形成された突出部４４ｂには、カード５１の先端の一隅が当接する。更に、入口部４２ｂの左側片隅には、ゴムブレーキ４７が配設されている。
【００１４】
カード５１がハウジング４２に作業者の手指によって挿入されるとき、カード５１の先端の一隅がイジェクトバー４４の突出部４４ｂを押す。したがって、イジェクトバー４４は、圧縮コイルスプリング４５を圧縮しながら入口部４２ｂ側から奥部４２ａ側へスライドする。カード５１の挿入行程が完了すると、カード５１の各接点（図示せず）は、コネクタ４１の各コンタクト４３に接続する。この際、イジェクトバー４４の動作は、カムフォロア４６によって規制される。
【００１５】
カード５１をハウジング４２から排出するときには、ハウジング４２に設けられている押しボタン（図示せず）又はカード５１を押す。すると、イジェクトバー４４は、カムフォロア４６によるロックから解除されて、圧縮コイルスプリング４５の復元力によって奥部４２ａ側から入口部４２ｂ側へスライドし、図１２に示される状態に至る。このとき、イジェクトバー４４の突出部４４ｂは、カード５１の先端を押すので、カード５１もイジェクトバー４４と共に、図１２に示される状態に至る。この状態では、イジェクトバー４４の一端４４ｃは、ゴムブレーキ４７の圧縮を開始する。続いて、図１３に示されるように、ゴムブレーキ４７は、圧縮方向と直交する方向に弾性変形するので、３角形状の先端の当接部４７ａは、カード５１の一側部に圧接する。ただし、図１３においては、当接部４７ａがカード５１に食い込むように、誇張して示されている。したがって、カード５１がハウジング４２から無用に飛び出すことが、阻止される。なお、ゴムブレーキ４７に中空部４７ｂが設けられると、ゴムブレーキ４７は容易に弾性変形することができる。
【００１６】
【特許文献１】特開２００１−１４３８１６号公報
【特許文献２】特開２００５−３１７３８３号公報
【特許文献３】特開２００５−３５３３６８号公報
【発明の開示】
【発明が解決しようとする課題】
【００１７】
第１の従来のコネクタは、カードがコネクタから飛び出すという欠点及びカードがコネクタに対して傾斜することによって排出されないという欠点を有する。
【００１８】
また、第２の従来のコネクタは、カードがコネクタから飛び出すことを防止することができるが、ゴムブレーキという余分な部材を必要とするという欠点を有する。
【００１９】
そこで、本発明は、前記両従来のコネクタの欠点を改良し、簡素な構成によって、カードがコネクタから飛び出すことを防止することができ、しかも、コードがコネクタに対して傾斜しないカード用コネクタを提供しようとするものである。
【課題を解決するための手段】
【００２０】
本発明は、前記課題を解決するため、次の手段を採用する。
【００２１】
１．ハウジング２と、前記ハウジングに保持される第１検出端子４と、前記ハウジングに保持される第２検出端子５と、前記ハウジングに保持され、カード１１により挿入され、かつ、前記カードを排出するスライダ６とを有するカード用コネクタ１において、前記第１検出端子は、固定端子部４ａと、前記カードの側端辺に対して当接離隔することができるカード接触部４ｂと、前記固定端子部と前記カード接触部を連結するアーム部４ｃとから構成され、前記第２検出端子は、固定端子部５ａと、前記カードの側端辺に対して当接離隔することができるカード接触部５ｂと、当該カード接触部の先端に形成され、かつ、前記第１検出端子のアーム部に対して当接離隔することができる端子接触部５ｃと、当該固定端子部と当該カード接触部を連結するアーム部５ｄとから構成され、前記カードの側端辺が前記第２検出端子のカード接触部に当接することによって、前記端子接触部が前記第１検出端子のアーム部を押して前記第１検出端子のカード接触部を前記カードの側端辺から離隔するカード用コネクタ。
【００２２】
２．前記第１検出端子のカード接触部と前記第２検出端子のカード接触部は円弧状に形成されている前記１記載のカード用コネクタ。
【００２３】
３．ハウジング２と、前記ハウジングに保持される第１検出端子１４と、前記ハウジングに保持される第２検出端子１５と、前記ハウジングに保持され、カード１１により挿入され、かつ、前記カードを排出するスライダ６と、前記ハウジングに保持され、かつ、前記カードにより前記ハウジングの幅方向にスライドすることができる検出端子用スライダ１６とを有するカード用コネクタにおいて、前記第１検出端子は、固定端子部１４ａと、前記カードの側端辺に対して当接離隔することができるカード接触部１４ｂと、前記固定端子部と前記カード接触部を連結するアーム部１４ｃとから構成され、前記第２検出端子は、固定端子部１５ａと、前記カードの前端辺に対して当接離隔することができるカード接触部１５ｂと、当該カード接触部の先端に形成され、かつ、前記第１検出端子のアーム部に対して当接離隔することができる端子接触部１５ｃと、当該固定端子部と当該カード接触部を連結するアーム部１５ｄとから構成され、前記カードの側端辺が前記検出端子用スライダに当接することによって、前記検出端子用スライダが前記第１検出端子のアーム部を押して前記第１検出端子のカード接触部を前記カードの側端辺から離隔し、前記カードの前端辺が前記第２検出端子のカード接触部に当接することによって、前記第２検出端子の端子接触部が前記第１検出端子のアーム部に当接するカード用コネクタ。
【００２４】
４．前記検出端子用スライダには、斜面部１６ａが形成され、前記カードの側端辺が前記斜面部に当接する前記３記載のカード用コネクタ。
【００２５】
５．前記第１検出端子のカード接触部は円弧状に形成されている前記３記載のカード用コネクタ。
【００２６】
６．前記第２検出端子の端子接触部が前記第１検出端子のアーム部に当接したことを検出して、前記カードが挿入されたことを認識できる前記１又は３記載のカード用コネクタ。
【発明の効果】
【００２７】
明細書の説明から明らかなように、本発明は、次の効果を奏する。
【００２８】
１．カードの側端辺が第２検出端子のカード接触部に当接することによって、端子接触部が第１検出端子のアーム部を押して第１検出端子のカード接触部をカードの側端辺から離隔する。
【００２９】
また、カードの側端辺が検出端子用スライダに当接することによって、検出端子用スライダが第１検出端子のアーム部を押して第１検出端子のカード接触部をカードの側端辺から離隔し、カードの前端辺が第２検出端子のカード接触部に当接することによって、第２検出端子の端子接触部が第１検出端子のアーム部に当接する。
【００３０】
したがって、簡素な構成によって、カードがコネクタから飛び出すことを防止でき、しかも、カードがコネクタに対して傾斜しない。
【００３１】
２．第１検出端子のカード接触部と第２検出端子のカード接触部の内、少なくとも前者は、円弧状に形成されている。したがって、摩擦抵抗が小さいので、カードはスムーズに挿入排出される。
【００３２】
３．検出端子用スライダには、斜面部が形成され、カードの側端辺が斜面部に当接するので、検出端子用スライダはスムーズにスライドする。
【００３３】
４．第２検出端子の端子接触部が第１検出端子のアーム部に当接したことを検出するので、カードがコネクタに挿入されたことを認識できる。
【発明を実施するための最良の形態】
【００３４】
本発明の２つの実施例のカード用コネクタについて説明する。
【実施例１】
【００３５】
本発明の実施例１について図１〜図５を参照して説明する。
【００３６】
図１は、カード用コネクタ１（以下「コネクタ１」ということがある。）の天面に配設されているシェル９の一部が切除されて示される上面図である。図２は、カード１１がコネクタ１のカード挿入間口１０からスライダ６に当接するまで挿入された挿入初期状態を示す上面図である。ただし、シェル９は、除去されている。図５は、カード１１が更にコネクタ１に挿入されてロックされた状態の上面図である。
【００３７】
第１検出端子４は、コネクタ１の奥側でインシュレータ（すなわち、ハウジング）２に圧入保持され、カード挿入間口１０の方向に延びている。第１検出端子４は、圧入保持されている側に基板と半田付けされるＳＭＴ（表面実装技術）端子部４ａと、カード挿入間口１０の方向に延びている側に円弧状のカード接触部４ｂとを有する。
【００３８】
第２検出端子５は、コネクタ１の奥側でインシュレータ２に圧入保持され、圧入保持されている側に基板と半田付けされるＳＭＴ端子部５ａと、カード挿入間口１０の方向に延びている側に円弧状のカード接触部５ｂと、カード接触部５ｂの先端に第１検出端子４のアーム部（ＳＭＴ端子部４ａからカード接触部４ｂまでの部分）４ｃと当接する端子接触部５ｃとを有する。なお、第２検出端子５のＳＭＴ端子部５ａからカード接触部５ｂまでの部分は、アーム部５ｄである。
【００３９】
図１の左側に示されるカード１１を排出するスライダ６と、スライダ６を付勢する圧縮コイルスプリング７と、スライダ６を係止するフックピン８とは、コネクタ１の排出機構の部品であるが、一般的なプッシュ−プッシュ・タイプのカード用コネクタと同様の構成である。
【００４０】
次に、実施例１の動作について図２〜図５を参照して説明する。
【００４１】
カード１１をコネクタ１に挿入すると、図２に示されるように、まず、カード１１の先端側の一隅がスライダ６の底部に当接する。このとき、第１検出端子４のカード接触部４ｂは、カード１１の側端辺に当接することによってガイドの役割を果たす。この状態では、第２検出端子５は、カード１１に当接していない。
【００４２】
更に、図３に示されるように、カード１１をコネクタ１に挿入すると、カード１１の下面に設けられている複数のカードパッド（図示せず）がコネクタ１の複数の信号端子３とそれぞれ接触を開始する。この段階では、カード１１は第２検出端子５とは当接していないので、第２検出端子５は変位しない。第１検出端子４のみが、カード１１の側端辺と当接し、カード１１が挿入方向に対して傾斜しないようにガイドの役割を依然として果たしている。
【００４３】
更に、図４に示されるように、カード１１をコネクタ１に挿入すると、カード１１の先端側の他の一隅が第２検出端子５のカード接触部５ｂに当接するので、カード接触部５ｂは第１検出端子４の方向に変位する。カード接触部５ｂが変位すると、端子接触部５ｃは第１検出端子４のアーム部４ｃに当接するので、電気的接続が成立する。この瞬間にコネクタ１は、カード１１がコネクタ１に挿入されたことを認識する。片持ちはり構造の第１検出端子４は第２検出端子５の端子接触部５ｃに押されることによって右方向に変位するので、第１検出端子４のカード接触部４ｂはカード１１の側端辺から離隔する。
【００４４】
図５に示されるように、カード１１がコネクタ１内に完全に挿入された状態、すなわち、ロック状態では、図４と同様に、第２検出端子５は第１検出端子４と当接し、第１検出端子４のカード接触部４ｂはカード１１の側端辺から離隔している。
【００４５】
カード１１のロックが解除されて、カード１１がコネクタ１から排出される動作を説明する。カード１１のロックが解除されると、カード１１は挿入方向とは逆方向に排出される。すなわち、カード１１の排出初期の状態では、図４と同じ状態となり、このとき、第２検出端子５はカード１１と当接している。更に、カード１１の排出が進むと、図３に示されるように、カード１１は第２検出端子５のカード接触部５ｂから離隔し、端子接触部５ｃは第１検出端子４のアーム部４ｃから離隔する。したがって、第１検出端子４は、元の位置に復帰しようとし、カード１１の側端辺との当接を開始する。スライダ６が完全に元の位置に復帰した状態、すなわち、図２に示されるカード１１の排出が完了した状態では、第１検出端子４のカード接触部４ｂはカード１１の側端辺に当接している。
【００４６】
図２，３に示されるカード１１の挿入の初期状態では、第１検出端子４とスライダ６とはカード１１を挟んでコネクタ１の両側に配置され、かつ、カード１１の側端辺に当接する第１検出端子４のカード接触部４ｂは、コネクタ１のカード挿入間口１０に近い箇所に位置するので、カード１１が挿入される際のガイドの役割を営む。
【００４７】
次に、カード１１がコネクタ１に完全に挿入された図５の状態では、第２検出端子５はカード１１の先端付近の側端辺を押すことができる。カード１１の厚さ方向に関しては、各信号端子３はカード１１をシェル９の方向に押さえ、また、コネクタ１の幅方向に関しては、第２検出端子５はカード１１の幅方向をスライダ６の方向に押さえる。したがって、振動や衝撃に起因するカード１１のバタツキ（揺動）によって発生する電気的瞬断は、低減する。続いて、カード１１のロックを解除すると、圧縮されたコイルスプリング７が拡張する力を利用することによって、カード１１はコネクタ１から排出される。ロックの解除の瞬間は、圧縮コイルスプリング７が最も圧縮された状態であるので、カード１１を排出する力は最も大きい。そこで、第２検出端子５はカード１１に当接することによってカード１１のスピードを抑制するが、第２検出端子５は、第１検出端子４を変形させている分の力を受けているので、第２検出端子５単独の場合よりもカード１１に強く当接することができる。したがって、カード１１の排出初期のスピードは、低下する。
【００４８】
更に、カード１１がコネクタ１から排出されると、第２検出端子５がカード１１から離隔するが、この瞬間に第１検出端子４がカード１１の側端辺に当接する。図４の状態よりも図３の状態では、圧縮コイルスプリング７は若干拡張しているので、カード１１を排出する力は弱い。図３の状態では、カード１１の排出初期の第２検出端子５のままの力でカード１１に当接すると、カード１１は排出されないという問題が起きる。しかし、実施例１のコネクタ１では、第２検出端子５はカード１１に当接せずに、第１検出端子４がカード１１に当接する。また、第１検出端子４は、アーム部４ｃが長いので、第２検出端子５よりも弱い力でカード１１に当接することができる。したがって、カード１１が排出の途中で停止することがなく、また、第１検出端子４は、カード挿入間口１０の付近にカード接触部４ｂを有するので、図２に示されるカード１１の排出終期までカード１１に当接することによってカード１１の排出スピードを抑制することができる。
【実施例２】
【００４９】
本発明の実施例２について図６〜図８を参照して説明する。実施例２についての説明は、実施例１と同様な点の説明を省略し、相違する点の説明を行う。
【００５０】
第１検出端子１４のアーム部１４ｃには、ハウジング２の幅方向にスライドすることができる検出端子用スライダ１６が当接する。検出端子用スライダ１６に斜面部１６ａが形成され、カード１１の先端側の一隅が斜面部１６ａを押すと、検出端子用スライダ１６は図６から図７を経て図８の位置までレール１７に沿ってスライドする。この際、第１検出端子１４のアーム部１４ｃが検出端子用スライダ１６によって右方向に押されるので、第１検出端子１４は変位する。したがって、第１検出端子１４のカード接触部１４ｂはカード１１から離隔する。カード１１がコネクタ１に完全に挿入されると、図８に示されるように、カード１１の先端辺が第２検出端子１５のカード接触部１５ｂを押すので、第２検出端子１５の端子接触部１５ｃは第１検出端子１４のＳＭＴ端子部１４ａの付近に当接する。この瞬間にコネクタ１は、カード１１がコネクタ１に挿入されたことを認識する。
【００５１】
実施例２では、検出端子用スライダ１６は、カード１１の挿入排出スピードにほとんど影響を及ぼすことがない。また、図８に示されるカード１１がコネクタ１に完全に挿入された状態で、第２検出端子１５がカード１１を排出方向に付勢する力は、きわめて弱い。
【００５２】
したがって、カード１１のコネクタ１からの飛び出しは、第１検出端子１４のばね性のみを制御することによって防止される。
【図面の簡単な説明】
【００５３】
【図１】本発明の実施例１のカード用コネクタの上面図である。ただし、シェルの一部が、切除されている。
【図２】カードが同コネクタのカード挿入間口からスライダに当接するまで挿入された挿入初期状態の上面図である。ただし、シェルは、除去されている。
【図３】図２に示される挿入初期状態からカードが更に挿入された状態の上面図である。
【図４】図３に示される状態からカードが更に挿入された状態の上面図である。
【図５】カードが同コネクタ内に完全に挿入された状態、すなわち、ロック状態の上面図である。
【図６】本発明の実施例２のカード用コネクタにカードが同コネクタのカード挿入間口からスライダに当接するまで挿入された挿入初期状態の上面図である。ただし、シェルは、除去されている。
【図７】図６に示される挿入初期状態からカードが更に挿入された状態の上面図である。
【図８】カードが同コネクタ内に完全に挿入された状態、すなわち、ロック状態の上面図である。
【図９】第１の従来のカード用コネクタの上面図であり、カードが同コネクタに挿入される途中の状態を示す。
【図１０】シェルが除去された同コネクタの上面図であり、カードが同コネクタに挿入される途中の状態を示す。
【図１１】第２の従来のカード用コネクタにカードが挿入されている状態の正面図である。ただし、カバーは、除去されている。
【図１２】同コネクタからカードが排出される途中の状態の正面図である。
【図１３】同コネクタからカードが排出された状態の正面図である。
【符号の説明】
【００５４】
１  カード用コネクタ、コネクタ
２  インシュレータ、ハウジング
３  信号端子
４  第１検出端子
４ａ  ＳＭＴ端子部（固定端子部）
４ｂ  カード接触部
４ｃ  アーム部
５  第２検出端子
５ａ  ＳＭＴ端子部（固定端子部）
５ｂ  カード接触部
５ｃ  端子接触部
５ｄ  アーム部
６  スライダ
７  圧縮コイルスプリング
８  フックピン
９  シェル
１０  カード挿入間口
１１  カード
１４  第１検出端子
１４ａ  ＳＭＴ端子部（固定端子部）
１４ｂ  カード接触部
１４ｃ  アーム部
１５  第２検出端子
１５ａ  ＳＭＴ端子部（固定端子部）
１５ｂ  カード接触部
１５ｃ  端子接触部
１５ｄ  アーム部
１６  検出端子用スライダ
１６ａ  斜面部
１７  レール
【図１】
2008204793.tif 000003
【図２】
2008204793.tif 000004
【図３】
2008204793.tif 000005
【図４】
2008204793.tif 000006
【図５】
2008204793.tif 000007
【図６】
2008204793.tif 000008
【図７】
2008204793.tif 000009
【図８】
2008204793.tif 000010
【図９】
2008204793.tif 000011
【図１０】
2008204793.tif 000012
【図１１】
2008204793.tif 000013
【図１２】
2008204793.tif 000014
【図１３】
2008204793.tif 000015